(57)【特許請求の範囲】
【請求項１】
シート状のマスク体（２）と、マスク体（２）の内面に配置されたシート状の表示体（３）とを備え、
マスク体（２）には、帯状の透視可能部（４）と隠蔽部（５）とが交互に形成されており、これら透視可能部（４）と隠蔽部（５）により、マスク体（２）には縞模様が現出されており、
表示体（３）には、異なる色彩が着色された複数色の帯が並設されており、これら帯により、表示体（３）には縞模様が現出されており、
マスク体（２）と表示体（３）とは、マスク体（２）の縞模様を構成する帯状の透視可能部（４）と隠蔽部（５）の伸び方向（縞模様の伸び方向）と直交する向き、或いは表示体（３）の異なる色彩が着色された帯の伸び方向（縞模様の伸び方向）と直交する向きへ、相対移動可能に構成されており、
マスク体（２）と表示体（３）のいずれか一方を操作する操作機構を備え、該操作機構によりマスク体（２）と表示体（３）のいずれか一方は、他方に対して相対的に移動操作可能に構成されており、
表示体（３）が、マスク体（２）と接触する表面側に位置する透明なプラスチックシートと、プラスチックシートの裏面側に形成された有彩色の着色層（８）とを含み、
表示体（３）のプラスチックシートのマスク体（２）と接触する表面側に、マスク体（２）との密着を防ぐ微小凹凸面（１１）が形成されていることを特徴とするデザイン表示変更装置。
【請求項２】
プラスチックシートの裏面側には、着色層（８）を覆うように保護層（９）が形成されており、
保護層（９）が不透明白色に着色されている、請求項１記載のデザイン表示変更装置。
【請求項３】
マスク体（２）の縞模様の伸び方向と、表示体（３）の縞模様の伸び方向とが、同一方向、或いは異なる方向に指向している、請求項１又は２記載のデザイン表示変更装置。
【請求項４】
マスク体（２）の外面が、透明ないし半透明のケース（１）で覆われており、
マスク体（２）は、ケース（１）と接触する表面側に位置する透明なプラスチックシートと、プラスチックシートの裏面側に印刷形成された透視可能部（４）と隠蔽部（５）とからなり、
マスク体（２）および表示体（３）のそれぞれのシート面の中央に縞模様が形成されており、
縞模様に隣接して、マスク体（２）および表示体のそれぞれのシート面の周縁に、白色系の無彩色の縁取り部が形成されている、請求項１乃至３のいずれかに記載のデザイン表示変更装置。
【請求項５】
マスク体（２）のプラスチックシートのケース（１）と接触する表面側に、ケース（１）との密着を防ぐ微小凹凸面（７）が形成されている請求項４記載のデザイン表示変更装置。
【請求項６】
マスク体（２）の隠蔽部（５）および縁取り部（６）が白色系の不透明インクで形成されており、
表示体（３）の着色層（８）が有彩色の蛍光インクで形成されており、
マスク体（２）の外面を覆うケース（１）が乳白色の半透明のプラスチック成形品からなる請求項５記載のデザイン表示変更装置。
【請求項７】
ファン（３６）と、ファン駆動用のモータ（３７）と、ヒータ（３８）とを収容する筒状の本体ケース（２１）を備える温風供給機器であって、
透明ないし半透明のプラスチック成形品からなる本体ケース（２１）の内面に、請求項１乃至６のいずれかに記載のマスク体（２）と表示体（３）とを含むデザイン表示変更装置が設けられており、
操作機構が、本体ケース（２１）に対して往復変位可能に設けられた操作体（１４）と、操作体（１４）の動作をマスク体（２）と表示体（３）とのいずれか一方へ伝える伝動体（１５）とを含んでおり、
操作体（１４）が、モータ（３７）およびヒータ（３８）を制御操作して、温風供給機器の運転状態や作動状態を切換え操作するための電源スイッチ（２３）のスライドノブ（２３ａ）であり、
スライドノブ（２３ａ）をスライド操作したときに、デザイン表示変更装置のマスク体（２）又は表示体（３）のいずれか一方が伝動体（１５）を介して移動操作されて、本体ケース（２１）のみかけの色状態や模様状態が変更されるように構成されていることを特徴とする温風供給機器。
【請求項８】
ファン（３６）と、ファン駆動用のモータ（３７）と、ヒータ（３８）とを収容する筒状の本体ケース（２１）と、本体ケース（２１）の下面一側に設けられたハンドル（２２）とを備える温風供給機器であって、
ハンドル（２２）は、本体ケース（２１）の下面一側に沿う折りたたみ収納位置と、本体ケース（２１）から下方に伸びる使用位置との間で、姿勢変更可能に構成されており、
透明ないし半透明のプラスチック成形品からなる本体ケース（２１）の内面に、請求項１乃至６のいずれかに記載のマスク体（２）と表示体（３）とを含むデザイン表示変更装置が設けられており、
操作機構が、本体ケース（２１）に対して往復変位可能に設けられた操作体（１４）と、操作体（１４）の動作をマスク体（２）と表示体（３）とのいずれか一方へ伝える伝動体（１５）とを含んでおり、
操作体（１４）がハンドル（２２）であって、該ハンドル（２２）を折りたたみ収納位置と、使用位置との間で姿勢変更させたときに、デザイン表示変更装置のマスク体（２）又は表示体（３）のいずれか一方が伝動体（１５）を介して移動操作されて、本体ケース（２１）のみかけの色状態や模様状態が変更されるように構成されていることを特徴とする温風供給機器。
【請求項９】
ファン（３６）と、ファン駆動用のモータ（３７）と、ヒータ（３８）とを収容する筒状の本体ケース（２１）と、本体ケース（２１）の吹出口に回転操作可能に装着されたノズル（２５）とを備える温風供給機器であって、
ノズル（２５）は、本体ケース（２１）の筒軸心に沿って回転操作可能に構成されており、
透明ないし半透明のプラスチック成形品からなる本体ケース（２１）の内面に、請求項１乃至６のいずれかに記載のマスク体（２）と表示体（３）とを含むデザイン表示変更装置が設けられており、
操作機構が、本体ケース（２１）に対して変位可能に設けられた操作体（１４）と、操作体（１４）の動作をマスク体（２）と表示体（３）とのいずれか一方へ伝える伝動体（１５）とを含んでおり、
操作体（１４）がノズル（２５）であって、該ノズル（２５）を回転操作させたときに、デザイン表示変更装置のマスク体（２）又は表示体（３）のいずれか一方が伝動体（１５）を介して移動操作されて、本体ケース（２１）のみかけの色状態や模様状態が変更されるように構成されていることを特徴とする温風供給機器。
【請求項１０】
ファン（３６）と、ファン駆動用のモータ（３７）と、ヒータ（３８）とを収容する筒状の本体ケース（２１）とを備える温風供給機器であって、
透明ないし半透明のプラスチック成形品からなる本体ケース（２１）の内面に、請求項１乃至６のいずれかに記載のマスク体（２）と表示体（３）とを含むデザイン表示変更装置が設けられており、
操作機構が、本体ケース（２１）に対して往復変位可能に設けられた操作体（１４）と、操作体（１４）の動作をマスク体（２）と表示体（３）とのいずれか一方へ伝える伝動体（１５）とを含んでおり、
操作体（１４）が、本体ケース（２１）の風出口に臨んで揺動可能に設けられた受風板（４６）であって、
ファン（３６）の送風作用によって受風板（４６）が揺動することで、デザイン表示変更装置のマスク体（２）又は表示体（３）のいずれか一方が伝動体（１５）を介して移動操作されて、本体ケース（１）のみかけの色状態や模様状態が変更されるように構成されていることを特徴とする温風供給機器。
【請求項１１】
ファン（３６）と、ファン駆動用のモータ（３７）と、ヒータ（３８）とを収容する筒状の本体ケース（２１）とを備える温風供給機器であって、
透明ないし半透明のプラスチック成形品からなる本体ケース（２１）の内面に、請求項１乃至６のいずれかに記載のマスク体（２）と表示体（３）とを含むデザイン表示変更装置が設けられており、
操作機構が、本体ケース（２１）に対して往復変位可能に設けられた操作体（１４）と、操作体（１４）の動作をマスク体（２）と表示体（３）とのいずれか一方へ伝える伝動体（１５）とを含んでおり、
本体ケース（２１）の風出口に臨む位置に、該風出口から吹き出される風の温度に伴って伸縮変形する形状記憶合金製の操作体（１４）が設けられており、
ファン（３６）の送風作用によって操作体（１４）が伸縮変形することで、デザイン表示変更装置のマスク体（２）又は表示体（３）のいずれか一方が伝動体（１５）を介して移動操作されて、本体ケース（２１）のみかけの色状態や模様状態が変更されるように構成されていることを特徴とする温風供給機器。
【請求項１２】
本体ケース（５０）に対して外刃ホルダー（５１）が着脱操作可能に構成されている電気かみそりであって、
透明ないし半透明のプラスチック成形品からなる本体ケース（５０）の内面に、請求項１乃至６のいずれかに記載のマスク体（２）と表示体（３）とを含むデザイン表示変更装置が設けられており、
操作機構が、操作体（１４）と、操作体（１４）の動作をマスク体（２）と表示体（３）とのいずれか一方へ伝える伝動体（１５）とを含んでおり、
操作体（１４）が外刃ホルダー（５１）であって、外刃ホルダー（５１）の着脱操作に伴って、デザイン表示変更装置のマスク体（２）又は表示体（３）のいずれか一方が伝動体（１５）を介して移動操作されて、本体ケース（５０）のみかけの色状態や模様状態が変更されるように構成されていることを特徴とする電気かみそり。
【発明の詳細な説明】
【０００１】
【発明の属する技術分野】
この発明は、見かけの色や模様等の表示状態を変化させて、使用者等の注意力を喚起し、あるいは興味を起こさせるようにしたデザイン表示変更装置に関する。この発明の表示変更装置は、例えばヘアードライヤやヘアーブロッサー等の温風供給機器に適用できる。電気かみそり、マッサージ機、電動歯ブラシ、空気清浄機などの小型電気機器のボディ部分にも適用できる。あるいはまた、筆箱やカセットケース等の各種の収納容器や広告体等にも適用できる。
【０００２】
【従来の技術】
この発明に関して、本出願人は、外観上の色や模様の変更を低コストで行えるヘアードライヤを先に提案している（特開平６−１２５８１０号公報）。そこでは、ファン、モータおよびヒータ等を収容するための本体ケースを透明プラスチック材で形成し、その内面に絵柄や文字等が印刷された装飾体を配置している。装飾体は、自己保形性を有するプラスチックシートを素材にして、その片面に印刷を施し、全体を筒状に丸めて形成してある。このヘアードライヤによれば、形態や仕様が同じでありながら、見かけの色彩や模様が異なる複数種の商品を提供でき、その分だけユーザーの選択の幅を拡げ、あるいは商品の訴求力を向上できる。
【０００３】
【発明が解決しようとする課題】
上記のヘアードライヤによれば、本体ケース内に配置される装飾体を変更するだけで、見かけの印象が異なるヘアードライヤを幾種類でも低コストで供給できる。しかし、いったん商品を購入してしまうと、色や模様などのデザイン表示を変更できないので興趣に欠ける。本発明者は、見かけの色や模様等の表示状態を変化させて、使用者の注意力を喚起することを思いつき、この発明を提案するに至った。
【０００４】
この発明の目的は、見かけの色や模様等の表示状態を変化できるようにして、使用者等の注意力を喚起し、あるいは興味を起こさせることができるデザイン表示変更装置を提供することにある。この発明の他の目的は、色や模様の表示状態をメインスイッチのオン・オフ切り換え動作や、送風ファンの起動動作、あるいは何らかの状態変更動作に連動して変更できるようにし、以て使用している機器の運転状態や、作動状態が切り替わったことを一見して知ることができ、この表示状態の変化によって使用者等の注意力を喚起し、あるいは興味を起こさせることができるデザイン表示変更装置を提供するにある。
【０００５】
【課題を解決するための手段】
この発明のデザイン表示変更装置は、シート状のマスク体２と、マスク体２の内面に配置されたシート状の表示体３とを備える。マスク体２には、帯状の透視可能部４と隠蔽部５とが交互に形成されており、これら透視可能部４と隠蔽部５により、マスク体２には縞模様が現出されている。表示体３には、異なる色彩が着色された複数色の帯が並設されており、これら帯により、表示体３には縞模様が現出されている。マスク体２と表示体３とは、マスク体２の縞模様を構成する帯状の透視可能部４と隠蔽部５の伸び方向（縞模様の伸び方向）と直交する向き、或いは表示体３の異なる色彩が着色された帯の伸び方向（縞模様の伸び方向）と直交する向きへ、相対移動可能に構成されている。マスク体２と表示体３のいずれか一方を操作する操作機構を備え、該操作機構によりマスク体２と表示体３のいずれか一方は、他方に対して相対的に移動操作可能に構成されている。表示体３が、マスク体２と接触する表面側に位置する透明なプラスチックシートと、プラスチックシートの裏面側に形成された有彩色の着色層８とを含み、表示体３のプラスチックシートのマスク体２と接触する表面側に、マスク体２との密着を防ぐ微小凹凸面１１が形成されていることを特徴とする。
【０００６】
プラスチックシートの裏面側には、着色層８を覆うように保護層９が形成されている。保護層９が不透明白色に着色されている。マスク体２の縞模様の伸び方向と、表示体３の縞模様の伸び方向とが、同一方向、或いは異なる方向に指向している。
【０００７】
マスク体２の外面が、透明ないし半透明のケース１で覆われている。マスク体２は、ケース１と接触する表面側に位置する透明なプラスチックシートと、プラスチックシートの裏面側に印刷形成された透視可能部４と隠蔽部５とからなる。マスク体２および表示体３のそれぞれのシート面の中央に縞模様が形成されており、縞模様に隣接して、マスク体２および表示体のそれぞれのシート面の周縁に、白色系の無彩色の縁取り部が形成されている。
【０００８】
マスク体２のプラスチックシートのケース１と接触する表面側に、ケース１との密着を防ぐ微小凹凸面７が形成されている。マスク体２の隠蔽部５および縁取り部６が白色系の不透明インクで形成されている。表示体３の着色層８が有彩色の蛍光インクで形成されており、マスク体２の外面を覆うケース１が乳白色の半透明のプラスチック成形品からなる。
【０００９】
本発明は、ファン３６と、ファン駆動用のモータ３７と、ヒータ３８とを収容する筒状の本体ケース２１を備える温風供給機器である。透明ないし半透明のプラスチック成形品からなる本体ケース２１の内面に、請求項１乃至６のいずれかに記載のマスク体２と表示体３とを含むデザイン表示変更装置が設けられている。操作機構が、本体ケース２１に対して往復変位可能に設けられた操作体１４と、操作体１４の動作をマスク体２と表示体３とのいずれか一方へ伝える伝動体１５とを含む。操作体１４が、モータ３７およびヒータ３８を制御操作して、温風供給機器の運転状態や作動状態を切換え操作するための電源スイッチ２３のスライドノブ２３ａであり、スライドノブ２３ａをスライド操作したときに、デザイン表示変更装置のマスク体２又は表示体３のいずれか一方が伝動体１５を介して移動操作されて、本体ケース２１のみかけの色状態や模様状態が変更されるように構成されている。
【００１０】
本発明は、ファン３６と、ファン駆動用のモータ３７と、ヒータ３８とを収容する筒状の本体ケース２１と、本体ケース２１の下面一側に設けられたハンドル２２とを備える温風供給機器である。ハンドル２２は、本体ケース２１の下面一側に沿う折りたたみ収納位置と、本体ケース２１から下方に伸びる使用位置との間で、姿勢変更可能に構成されている。透明ないし半透明のプラスチック成形品からなる本体ケース２１の内面に、請求項１乃至６のいずれかに記載のマスク体２と表示体３とを含むデザイン表示変更装置が設けられている。操作機構が、本体ケース２１に対して往復変位可能に設けられた操作体１４と、操作体１４の動作をマスク体２と表示体３とのいずれか一方へ伝える伝動体１５とを含む。操作体１４がハンドル２２であって、該ハンドル２２を折りたたみ収納位置と、使用位置との間で姿勢変更させたときに、デザイン表示変更装置のマスク体２又は表示体３のいずれか一方が伝動体１５を介して移動操作されて、本体ケース２１のみかけの色状態や模様状態が変更されるように構成されている。
【００１１】
本発明は、ファン３６と、ファン駆動用のモータ３７と、ヒータ３８とを収容する筒状の本体ケース２１と、本体ケース２１の吹出口に回転操作可能に装着されたノズル２５とを備える温風供給機器である。ノズル２５は、本体ケース２１の筒軸心に沿って回転操作可能に構成されている。透明ないし半透明のプラスチック成形品からなる本体ケース２１の内面に、請求項１乃至６のいずれかに記載のマスク体２と表示体３とを含むデザイン表示変更装置が設けられている。操作機構が、本体ケース２１に対して変位可能に設けられた操作体１４と、操作体１４の動作をマスク体２と表示体３とのいずれか一方へ伝える伝動体１５とを含む。操作体１４がノズル２５であって、該ノズル２５を回転操作させたときに、デザイン表示変更装置のマスク体２又は表示体３のいずれか一方が伝動体１５を介して移動操作されて、本体ケース２１のみかけの色状態や模様状態が変更されるように構成されている。
【００１２】
本発明は、ファン３６と、ファン駆動用のモータ３７と、ヒータ３８とを収容する筒状の本体ケース２１とを備える温風供給機器である。透明ないし半透明のプラスチック成形品からなる本体ケース２１の内面に、請求項１乃至６のいずれかに記載のマスク体２と表示体３とを含むデザイン表示変更装置が設けられている。操作機構が、本体ケース２１に対して往復変位可能に設けられた操作体１４と、操作体１４の動作をマスク体２と表示体３とのいずれか一方へ伝える伝動体１５とを含む。操作体１４が、本体ケース２１の風出口に臨んで揺動可能に設けられた受風板４６であって、ファン３６の送風作用によって受風板４６が揺動することで、デザイン表示変更装置のマスク体２又は表示体３のいずれか一方が伝動体１５を介して移動操作されて、本体ケース１のみかけの色状態や模様状態が変更されるように構成されている。
【００１３】
本発明は、ファン３６と、ファン駆動用のモータ３７と、ヒータ３８とを収容する筒状の本体ケース２１とを備える温風供給機器である。透明ないし半透明のプラスチック成形品からなる本体ケース２１の内面に、請求項１乃至６のいずれかに記載のマスク体２と表示体３とを含むデザイン表示変更装置が設けられている。操作機構が、本体ケース２１に対して往復変位可能に設けられた操作体１４と、操作体１４の動作をマスク体２と表示体３とのいずれか一方へ伝える伝動体１５とを含む。本体ケース２１の風出口に臨む位置に、該風出口から吹き出される風の温度に伴って伸縮変形する形状記憶合金製の操作体１４が設けられており、ファン３６の送風作用によって操作体１４が伸縮変形することで、デザイン表示変更装置のマスク体２又は表示体３のいずれか一方が伝動体１５を介して移動操作されて、本体ケース２１のみかけの色状態や模様状態が変更されるように構成されている。
【００１４】
本発明は、本体ケース５０に対して外刃ホルダー５１が着脱操作可能に構成されている電気かみそりである。透明ないし半透明のプラスチック成形品からなる本体ケース５０の内面に、請求項１乃至６のいずれかに記載のマスク体２と表示体３とを含むデザイン表示変更装置が設けられている。操作機構が、操作体１４と、操作体１４の動作をマスク体２と表示体３とのいずれか一方へ伝える伝動体１５とを含む。操作体１４が外刃ホルダー５１であって、外刃ホルダー５１の着脱操作に伴って、デザイン表示変更装置のマスク体２又は表示体３のいずれか一方が伝動体１５を介して移動操作されて、本体ケース５０のみかけの色状態や模様状態が変更されるように構成されている。
【００１５】
【発明の作用効果】
マスク体２とその内面に配置した表示体３とは、マスク体２の透視可能部４に臨む表示体３の着色部のみが、透視可能部４を介して外部から見え、隠蔽部５に臨む表示体３の着色部は、隠蔽部５に遮られて外部から見えない状態になっている。この状態から、例えば表示体３をマスク体２に対して変位操作すると、それまで隠蔽部５に遮られていた着色部が透視可能部４へ徐々に露出する。その一方で、それまで透視可能部４に臨んでいた着色部は、徐々に隠蔽部５の内面へ移動し、やがて着色部の全体が隠蔽部５によって遮られてしまう。この状態変化をマスク体２の外面から見ると、ある色のみが見えていた状態から、異なる複数の色が混在して見える状態を経て、最初とは異なる別の色が見える状態へと見かけの状態が変化する。場合によっては、色状態が変化する間に、模様や着色部の見かけの形が変化する。このように、見かけの色や模様等の表示状態を変化させると、使用者等に強いインパクトをあたえて注意力を喚起し、あるいは興味を起こさせることができる。
【００１６】
図５ないし図７に示すようにマスク体２の模様と、表示体３の模様とを平行に形成したデザイン表示装置においては、例えば表示体３をマスク体２に対して変位操作することにより、マスク体２の外面から見た色の状態を劇的に変化させることができる。例えば、隠避部５が白色で、表示体３に赤と青との色帯８Ｒ・８Ｂを交互に配置した縞模様が形成してある場合には、それまで赤と白の縞模様であった見かけを、青と白の縞模様へと劇的に変化させることができ、従って、使用者に対する見かけの表示状態を劇的に変化させ、強い訴求力を発揮させることができる。
【００１７】
図１ないし図４に示すようにマスク体２の模様と、表示体３の模様とを斜めに交差する状態で形成したデザイン表示装置によれば、先のように色状態が変化する間に、あたかも模様が一方向へ動くような表示を行える。従って、単に色状態が変化する場合に比べて、色および模様を動的に変化させて、使用者等により強烈な印象を与え、注意力をより強く喚起できるうえ、使用者等に対する訴求力さらに高め、興味を惹き起こすことができる。
【００１８】
例えば図１５に示すようにマスク体２の模様を斜めに形成し、表示体３の模様をマスク体２の移動方向と直交するように形成すると、図１ないし図４で説明したデザイン表示装置と同様の、色状態の変化と模様の変化を表示できるうえ、マスク体２を色帯８Ｒの幅寸法分だけ移動操作することにより、図６で説明したデザイン表示装置と同様に、見かけの色状態を劇的に変化させることができる。
【００１９】
透明なプラスチックシートの片面に、有彩色の着色層８と、着色層８の外面を覆う保護層９とを形成し、さらにマスク体２と接触する側のシート面に微小凹凸面１１が形成されていると、表示体３を変位操作して色や模様の状態を変化させる場合に、着色層８が他物で擦られて傷つくのを保護層９によって阻止できる。保護層９を例えば白色に着色しておけば、着色層８を透過した光を全反射させて、着色層８の発色状態をより明確化できる。マスク体２と接触する側のシート面に形成した微小凹凸面１１は、表示体３がマスク体２に密着するのを防ぎ、さらに両者が相対変位するときの摺動摩擦を減少して、表示体３とマスク体２との相対変位を円滑化することに役立っている。
【００２０】
マスク体２と表示体３とのそれぞれの周縁に、白色系の無彩色の縁取り部６・１０を形成してあると、表示体３およびマスク体２を組み付けた状態において、加工上の寸法誤差や熱変形によって、表示体３とマスク体２との組み付け位置がずれるような場合にも、両者２・３の模様のずれが目立つのを避けて、見かけの表示の乱れを解消することができる。
【００２１】
マスク体２の外面が、透明ないし半透明のケース１で覆われていると、表示体３に対するケース１の色状態を調整することにより、色の変化や模様の変化をさらに複雑化して、見かけの表示状態を多様化できる。とくに、ケース１を乳白色に着色成形して半透明化する場合には、表示体３の着色部の色調および彩度が、ケース１の乳白色と混ざり合って若干淡い感じになるが、見かけの色の深みを増して、あたかもケース１これ自体を着色したような、高品質な印象を与えることができる。
【００２２】
マスク体２の隠蔽部５等を白色にし、表示体３の着色層８を蛍光インクで形成し、さらにケース１を乳白色の半透明なプラスチック成形品で形成すると、マスク体２の隠蔽部５の縞模様が見えるのを防いで、表示体３の色変化のみを明確に表示して、前項で説明した呈色効果をさらに向上できる。
【００２３】
図８ないし図１３に示すように本体ケース２１の内面に、マスク体２と表示体３とを配置し、マスク体２と表示体３とのいずれか一方を操作機構で操作できるようにした温風供給機によれば、操作機構を切り換え操作するだけで、本体ケース２１の見かけの色状態や模様状態を変更でき、この状態変化を利用して使用者の注意を惹き、あるいは興味を起こさせることができる。とくに、図８に示すごとく本体ケース２１に設けたスライドノブ２３ａなどの往復変位可能な操作体１４や、図１１に示すごとく本体ケース２１に対して姿勢変更可能に装着される付属品などの操作体１４の変位に連動して、本体ケース２１の見かけの色状態や模様状態を変更する温風供給機によれば、使用している機器の運転状態や作動状態、あるいは使用状態が切り替わったことを一見して知ることができ、この表示状態の変化によって使用者等の注意力を効果的に喚起し、あるいは興味を起こさせることができる。
【００２４】
図１４に示すごとく本体ケース５０の内面に、マスク体２と表示体３とを配置し、マスク体２と表示体３のいずれか一方を操作機構で操作できるようにした小形電気機器においても、先の温風供給機と同様の作用効果が得られる。
【００２５】
【実施例】
（実施例１）  図１ないし図４は、この発明のデザイン表示変更装置の原理構造を示す。図２においてデザイン表示変更装置は、透明な円筒形のケース１と、ケース１の内面に配置される円筒状のマスク体２と、マスク体２の内面に配置した円筒状の表示体３と、表示体３を往復回動操作する操作機構とで構成されている。
【００２６】
図３においてマスク体２は、透明なプラスチックシートの内面に印刷を施して、透視可能部４と隠蔽部５とを交互に形成し、その周縁に沿って縁取り部６を設けてなる。マスク体２の外表面の全体には、ケース１との密着を防ぐ微小凹凸面７が形成してある。隠蔽部５と縁取り部６は、白色の不透明な印刷インキによって形成し、それぞれマスク体２の円筒軸心と平行な直線状の縞模様として形成する。なお、隠蔽部５および縁取り部６の模様の幅は同じとする。
【００２７】
図４において表示体３は、透明なプラスチックシートの内面に有彩色の着色層８と、着色層８の外面を覆う保護層９とを形成し、その周縁に沿って縁取り部１０を設けてなる。縁取り部１０は着色層８を挟む状態で白色、または白色系の無彩色の不透明な印刷インクで形成する。表示体３の外表面の全体には、マスク体２との密着を防ぐ微小凹凸面１１を形成する。着色層８は、蛍光インクを用いて印刷形成され、複数の異なる色の帯を交互に設けて縞模様状に形成する。例えば、符号８Ｒの色帯を赤色とし、符号８Ｂの色帯を青色とする。これらの色帯８Ｒ・８Ｂは同幅に形成し、先の透視可能部４と隠蔽部５とは異なり、表示体３の円筒軸心に対して角度αだけ傾斜させてある。保護層９は白色の不透明な印刷インキによって形成し、着色層８が他物で擦られて傷つくのを阻止し、かつ着色層８を透過した光を全反射させて着色層８の発色状態をより明確化することを企図して設けてある。表示体３の一方の筒端には、操作舌片１２を突設する。微少凹凸面１１は、梨地面やローレット模様状の幾何学的な模様で形成する。例えば、シート素材の表面にサンドブラスト処理を施して形成する。
【００２８】
図１において操作機構は、往復動自在に設けた操作体１４と、操作部の動きを表示体３に伝える伝動体１５とからなる。伝動体１５の一端は、表示体３の操作舌片１２に連結する。操作体１４は、待機位置Ｓと変更位置Ｔとの間をスライド変位でき、操作体１４のスライド変位に伴って、表示体３はマスク体２の縞模様と直交する状態で筒内面に沿って回動する。但し、表示体３の回動範囲は、操作体１４のスライドストロークによって規定される範囲に限られる。
【００２９】
次にデザイン表示変更装置における、色および模様の変化過程を説明する。図１（ａ）に示すように操作体１４が待機位置Ｓにあるとき、表示体３の色帯８Ｒ・８Ｂは、それぞれ透視可能部４と隠蔽部５を斜めに横切る状態で見えているものとする。この状態から、操作体１４を図１（ｂ）に示すように変更位置Ｔへ向かってスライド操作すると、各色帯８Ｒ・８Ｂはそれまで透視可能部４に臨んでいた部分が徐々に隠蔽部５の内面へと入り込み、逆に、隠蔽部５で隠されていた部分が、徐々に透視可能部４へ露出してくる。この色帯の変位によって、各透視可能部４における模様は、ケース１の一方の筒端から他方の筒端へ向かって進むように見える。しかも、模様の変化が全ての透視可能部４で同時に起こるため、全体としては、色の位置が変化しながら、模様が一方向へ動く、ダイナミックな状態変化となる。その結果、見る者の注意を確実に惹き付け、あるいは興味を起こさせる。操作体１４を待機位置Ｓへ戻すと、色と模様は先の変化を逆にたどって待機状態へ復帰する。
【００３０】
（実施例２）  上記の実施例では、マスク体２に設けた透視可能部４および隠蔽部５の縞模様と、表示体３に設けた色帯８Ｒ・８Ｂの縞模様とが、互いに斜めに交差するようにしたが、両者４・５の縞模様は平行に形成することができる。具体的には、図５ないし図７に示すように、透視可能部４と隠蔽部５とを、マスク体２の円筒軸心と直交する縞模様として周回状に形成し、同様に色帯８Ｒ・８Ｂも表示体３の円筒軸心と直交する縞模様として周回状に形成する。この場合には、表示体３を操作機構でマスク体２の縞模様と直交する向きにスライド操作する。そのために、操作体１４のスライド動作を受け継ぐ伝動体１５は、ロッド１６と、ロッド１６の往復動作を左右動作に変換して操作舌片１２に伝えるベルクランク状の揺動アーム１７とで構成した。他は先の実施例と同じであるので、同一部材に同じ符号を付して、その説明を省略する。なお、隠蔽部５および縁取り部６の色は、後述する表示体３の色帯８Ｒ・８Ｂのいずれか一方の色と一致させることができる。
【００３１】
操作体１４が待機位置Ｓにあるとき、表示体３の一方の色帯８Ｂは図５（ａ）に示すように透視可能部４に露出し、他方の色帯８Ｒは隠蔽部５で隠されているものとする。この状態から表示体３を変更位置ｂへ向かってスライド操作すると、図５（ｂ）に示すようにそれまで隠蔽部５に遮られていた色帯８Ｒが透視可能部４へ徐々に露出する。その一方で、それまで透視可能部４に臨んでいた色帯８Ｂは徐々に隠蔽部５の内面へ移動し、やがて色帯８Ｒの全体が隠蔽部５によって遮られてしまう。この状態変化をマスク体２の外面から見ると、青と白（隠蔽部の色）との縞模様だった状態から、赤と青と白が混在する縞模様として見える状態を経て、赤と白との縞模様が見える状態へと変化する。表示体３はさらにスライドできるので、上記と同様の状態変化を繰り返しながら、見かけの色状態を連続的に変化させることができる。
【００３２】
（実施例３）  次に、上記のデザイン表示変更装置をヘアードライヤに適用した実施例を示す。図８および図９において、ヘアードライヤは、横長筒状の本体ケース２１と、その下面一側に折りたたみ可能に設けたハンドル２２とを基体にして、これらの内部に送風ユニットや、制御用の電気部品等を収容してなる。ハンドル２２の内部および後面には、風量制御スイッチを兼ねる電源スイッチ２３と、ヒータを強弱に切り換えるヒータスイッチ２４とが設けてある。本体ケース２１の吐出口２８側の端部には、補助ノズル２５が着脱自在に、しかも回転変位自在に装着してある。
【００３３】
本体ケース２１は、互いに嵌合連結される前ケース２６と後ケース２７とからなり、後ケース２７の側から吸い込んだ空気を前ケース２６の前端の吐出口２８から吹き出す。後ケース２７は、周面下部に連結ボス３１が一体に形成してあるプラスチック成形品からなり、その後端に装着した導風リング３２で吸込口を形成している。導風リング３２の開口面は、パンチングメタルで形成した吸込グリル３３によって覆われている。吐出口２８には、図９に示すごとくプレス成形した吐出グリル３４が装着してある。ハンドル２２は、本体ケース２１に対して連結ボス３１を介して折り畳み可能に連結されている。
【００３４】
図９において送風ユニットは、モータケース３５と、モータケース３５に組み付けられるファン３６およびモータ３７と、十文字状に組まれた絶縁枠に螺旋状に巻き付けられるヒータ３８と、絶縁枠の外面を覆うテーパー筒状の絶縁筒、および絶縁筒の外面全体を覆う金属板製の遮熱筒３９などで構成する。この送風ユニットのモータケース部を、後ケース２７に内嵌装着することにより、後ケース２７と送風ユニットとが一体化される。
【００３５】
上記のヘアードライヤにおいて、本体ケース２１の見かけの色および模様を変更できるようにするために、本体ケース２１の内面に先の実施例２で説明したデザイン表示変更装置を配置する。具体的には、前ケース２６を乳白色の半透明のプラスチック成形品で形成し、前ケース２６の内面にマスク体２と、表示体３を配置する。マスク体２の前ケース２６との間には、僅かな隙間をケース全長にわたって設け、マスク体２の隠蔽部５の縞模様を見えにくくしている。マスク体２と表示体３とに形成される縞模様は、本体ケース２１の筒軸心と直交させる。さらに電源スイッチ２３のスライドノブ２３ａを操作体１４として利用し、操作体１４と表示体３の操作舌片１２とを伝動体１５を介して連結した。この場合の伝動体１５は、スライドノブ２３ａのスライド動作を受け継ぐロッド１６と、ロッド１６の上下スライド動作を前後揺動動作に変換するベルクランク状の揺動アーム１７とで構成して、表示体３を本体ケース２１の筒軸心に沿って前後スライド操作できるようにした。
【００３６】
図８において操作体１４は、電源スイッチ２３のオフ位置を待機位置Ｓとし、オン位置を変更位置Ｔとする。ヘアードライヤにおけるスライドノブ２３ａの多くは、オフ、送風オン（冷風送給モード）、送風とヒータをオン（温風送給モード）の３位置に切り換えられる。そこでこの実施例では、温風送給モード時に、赤色の色帯８Ｒが表示され、オフ時と、冷風送給モード時とには、青色の色帯８Ｂが表示されるようにした。具体的には、スライドノブ２３ａと一体に弾性変形可能な係合爪４０を設け、スライドノブ２３ａを冷風送給モード位置へスライド操作した状態において、係合爪４０がロッド１６に設けた係合溝４１に落ち込み係合して、ロッド１６をスライドノブ２３ａと同行移動できるようにした。スライドノブ２３ａを冷風送給モード位置から温風送給モード位置へスライド操作すると、ロッド１６が上昇して揺動アーム１７を揺動させる。その結果、表示体３は後側へスライドして、赤色の色帯８Ｒをマスク体２に透視可能部に臨ませる。逆にスライドノブ２３ａを温風送給モード位置から冷風送給モード位置まで下方スライド操作すると、ロッド１６が同行移動して揺動アーム１７を逆向きに揺動させる。その結果、青色の色帯８Ｂが表示される。さらにスライドノブ２３ａを下方スライド操作すると、ロッド１６はそれ以上下降できないので、係合爪４０は係合溝４１から抜け出て、図８に実線で示す状態に復帰する。
【００３７】
マスク体３と表示体４とは、それぞれ耐熱性を有する軟質のポリカーボネイト製のシートを素材にして形成し、隠蔽部５、縁取り部６・１０、着色層８、保護層９等の各印刷部分は、蛍光インクを用いて印刷する。前ケース２６は吐出口２８へ向かって先すぼまり状に形成されるので、マスク体３と表示体４の展開形状は、扇形に形成する。前ケース２６にマスク体３と表示体４とを組み付けた状態において、その前後縁がずれていると、隠蔽部５や色帯８Ｒ・８Ｂが目立つのを避けられず、見かけの印象が損なわれてしまう。こうした不自然さを解消するために、縁取り部６・１０を設けて、マスク体３と表示体４の前後縁が前ケース２６に溶け込んで見えるようにしている。
【００３８】
以上のように構成したヘアードライヤによれば、操作体１４すなわちスライドノブ２３ａの切り換え操作に連動して、本体ケース２１の見かけの色を青白の縞模様と、赤白の縞模様とに劇的に変更できるので、ヘアードライヤの運転状態が温風送給モードであることを明確に知らせ、使用者の注意力を確実に惹き起こすことができる。また、聴覚に障害がある使用者の場合には、本体ケース２１の色状態を見るだけで、ヘアードライヤが運転状態にあるのか、停止状態にあるのかを判定できる点でも有利である。なお、乳白色に着色して半透明化した前ケース２６によれば、見かけの色がマスク体２と表示体３に印刷された色調より幾分彩度が低下するものの、色の深みを増すことができるので、あたかも着色成形した前ケースと同様の視覚効果が得られる。前ケース２６の周面に擦り傷や打ち傷が生じても、これらが目立つのを防止して、美感や清潔感が損なわれるのも防止できる。透明プラスチック材に特有の冷たい感じを払拭できることにもなる。この実施例におけるマスク体２、表示体３、前ケース２６の好ましい色の組み合わせは、マスク体２の隠蔽部５および縁取り部６を白色とし、表示体３の色帯８Ｒ・８Ｂを有彩色の蛍光インクで形成する。さらに前ケース２６を半透明の乳白色、若しくは透明な前ケース２６の内面（又は外面）にシボ加工を施して刷りガラス状に形成する。
【００３９】
以下、この発明の別の適用例を図１０から図１４において説明するが、各適用例においては、上記の各実施例で説明した部材と同等の部材に同じ符号を付してその説明を省略する。
（実施例４）  図１０に示すヘアードライヤにおいては、ハンドル２２が折りたたみ可能であることを利用して、ハンドル２２を折りたたみ収納した場合に、表示体３が回動操作されるようにした。このときの操作機構は、ハンドル２２を操作体１４として利用し、本体ケース２１で伝動体１５を上下動可能に支持し、ばね４４で本体ケース２１の外へ向かって進出付勢した。ハンドル２２を軸１９を中心にして使用位置から折りたたみ操作すると、その一部が伝動体１５に接当し、伝動体１５をばね４４に逆らって上方へ押し込み操作する。その結果、伝動体１５は操作舌片１２を介して表示体３を本体ケース２１の内面に沿って回動操作し、見かけの色状態を変化させる。なお、この場合のマスク体２と表示体３の縞模様は、本体ケース２１の筒軸心とほぼ平行な縞模様で形成しておき、ハンドル２２を折りたたみ収納した状態において、青色の色帯８Ｂが表示されるようにする。
【００４０】
（実施例５）  図１１に示すヘアードライヤにおいては、補助ノズル２５を操作体１４に利用して、表示体３を本体ケース２１の筒軸心に沿って回動操作できるようにした。詳しくは補助ノズル２５と表示体３の操作舌片１２とを棒状の伝動体１５で連結し、補助ノズル２５を本体ケース２１に対して９０度回転操作したとき、見かけの色状態が変わるようにした。この場合にも、マスク体２と表示体３の縞模様は、本体ケース２１の筒軸心とほぼ平行な縞模様で形成しておく。
【００４１】
（実施例６）  図１２はデザイン表示変更装置をヘアーブロッサに適用した実施例を示す。そこでは、本体ケース２１の内面一部にマスク体２と表示体３を配置しておき、表示体３を、ファン３６の送風動作に連動して変位操作できるようにした。具体的には、導風筒４５の風出口に臨んで揺動可能な受風板４６を設け、この受風板４６を操作体１４とした。ファン３６の送風作用によって受風板４６が揺動すると、受風板４６の動作は棒状の伝動体１５を介して表示体３伝えられる。その結果、表示体３が本体ケース２１の筒軸心に沿って移動し、表示状態を変更できるようにした。符号４４は伝動体１５を復帰付勢するばねである。
【００４２】
（実施例７）  図１３は実施例６と同様に、デザイン表示変更装置をヘアーブロッサに適用した実施例であるが、ヒータ３８の発熱作用を利用して表示体３を移動操作する点が実施例６と異なる。詳しくは、導風筒４５の風出口に臨んで、温度上昇に伴って伸縮変形する形状記憶合金製の操作体１４を設けた。ヒータ３８の発熱作用によって操作体１４が下向きに伸び変形すると、その動作は直交状に隣接する一対の伝動ピース（伝動体）１５ａ・１５ｂを介して表示体３へ伝わる。その結果、表示体３が本体ケース２１の筒軸心に沿って移動し、表示状態を変更できる。一対の伝動ピース１５ａ・１５ｂは斜面を介して隣接しており、一方の伝動ピース１５ａが操作体１４に同行して下方移動するとき、表示体３に固定した他方の伝動ピース１５ｂは、斜面に押されて横移動する。この横移動動作によって表示体３を変位操作する。符号４４は伝動体１５を復帰付勢するばねである。この実施例における操作体１４は、バイメタルの熱変形動作を利用するものであってもよい。
【００４３】
（実施例８）  図１４は、デザイン表示変更装置を電気かみそりに適用した実施例を示す。そこでは、電気かみそりの本体ケース５０を透明体で形成し、その内面にマスク体２と表示体３とを配置し、本体ケース５０に装着した外刃ホルダー５１の着脱操作に連動して、表示体３を移動操作できるようにした。この場合の外刃ホルダー５１は、先の実施例における操作体１４に相当する。本体ケース５０のヘッド部には、ピン状の伝動体１５が上下スライド自在に、しかもばね５２で上向きに進出付勢した状態で配置してある。伝動体１５は、外刃ホルダー５１を本体ケース５０から取り外すとき、ばね５２に押されて上方移動する。この動きを表示体３に伝えて、表示体３を上向きに移動操作し、以て表示状態を変更する。
【００４４】
（実施例９）  図１５はデザイン表示変更装置の別実施例を示す。具体的には、マスク体２の模様を、マスク体２と表示体３の相対的な移動方向と斜めに交差する状態で設け、さらに表示体３の模様を、マスク体２と表示体３の相対的な移動方向と直交する状態で設ける。そこでは透視可能部４と隠蔽部５とをケース１の筒軸心に対して斜めに傾斜させ、さらに色帯８Ｒ・８Ｂの幅寸法を大きく設定して、各透視可能部４における見かけの色変化を多様化した。この場合の表示体３はケース１の筒軸心に沿って往復操作する。このように、マスク体２の模様を斜めに形成し、表示体３の模様をマスク体２の移動方向と直交するように形成する、図１ないし図４で説明したデザイン表示装置と同様の、色状態の変化と模様の変化を表示できるうえ、マスク体２を色帯８Ｒの幅寸法分だけ移動操作することにより、図６で説明したデザイン表示装置と同様に、見かけの色状態を劇的に変化させることができる。
【００４５】
上記以外に、透視可能部は、マスク体に通口として形成してあってもよい。デザイン表示変更装置は、伝動歯ブラシ、マッサージ機、空気清浄機などの小形電気機器に適用でき、その場合には、電源スイッチの切り換え具に連動して、表示体３を変位操作することができる。また、筆箱やカセットケース等の容器にデザイン表示変更装置を適用して、容器の開閉動作に連動して表示体３を変位操作することができる。広告体に適用してもよい。
【図面の簡単な説明】
【図１】デザイン表示変更装置の原理説明図である。
【図２】デザイン表示変更装置の分解正面図である。
【図３】マスク体の展開図とａ−ａ線断面図である。
【図４】表示体の展開図とｂ−ｂ線断面図である。
【図５】実施例２に係るデザイン表示変更装置の原理説明図である。
【図６】実施例２に係るデザイン表示変更装置の分解正面図である。
【図７】実施例２に係るマスク体および表示体の展開図である。
【図８】実施例３に係るヘアードライヤの一部切り欠き正面図である。
【図９】実施例３に係る本体ケースの分解断面図である。
【図１０】実施例４に係るヘアードライヤの概略正面図である。
【図１１】実施例５に係るヘアードライヤの概略正面図である。
【図１２】実施例６に係るヘアーブロッサの概略正面図である。
【図１３】実施例７に係るヘアーブロッサの概略正面図である。
【図１４】実施例８に係る電気かみそりの概略正面図である。
【図１５】実施例９に係るデザイン変更装置の原理説明図である。
【符号の説明】
１  ケース
２  マスク体
３  表示体
４  透視可能部
５  隠蔽部
６・１０  縁取り部
１４  操作体
１５  伝動体
２１  本体ケース
３６  ファン
３７  モータ
３８  ヒータ
５０  本体ケース
【図１】
0004632221.tif 000002
【図２】
0004632221.tif 000003
【図３】
0004632221.tif 000004
【図４】
0004632221.tif 000005
【図５】
0004632221.tif 000006
【図６】
0004632221.tif 000007
【図７】
0004632221.tif 000008
【図８】
0004632221.tif 000009
【図９】
0004632221.tif 000010
【図１０】
0004632221.tif 000011
【図１１】
0004632221.tif 000012
【図１２】
0004632221.tif 000013
【図１３】
0004632221.tif 000014
【図１４】
0004632221.tif 000015
【図１５】
0004632221.tif 000016